(57)【要約】【課題】温度のバラツキが少なく、適温を安定して皮膚に与えることができる間接灸を提供する。【解決手段】筒体２と、モグサ体３とからなる間接灸１であって、前記モグサ体３は、モグサと糊剤とを混連してなる略錐体形状の成形体であって、当該錐体の底面により前記筒体２の上部開口を閉塞する状態にて前記筒体上部に固着されており、当該錐体の裾部周壁には、前記筒体２の中空部と連通する貫通孔４が少なくとも一つ設けられていることを特徴とする間接灸１。筒体２の底部には粘着剤が付着していることが好ましい。【選択図】図１
0003138553.tif 000002
【実用新案登録請求の範囲】
【請求項１】
筒体と、モグサ体とからなる間接灸であって、
前記モグサ体は、モグサと糊剤とを混連してなる略錐体形状の成形体であって、当該錐体の底面により前記筒体の上部開口を閉塞する状態にて前記筒体上部に固着されており、当該錐体の裾部周壁には、前記筒体の中空部と連通する貫通孔が少なくとも一つ設けられていること
を特徴とする間接灸。
【請求項２】
前記筒体が円筒であり、
前記モグサ体が略円錐体形状である、請求項１に記載の間接灸。
【請求項３】
前記筒体が、高さ１１〜１４ｍｍ、内径６〜９ｍｍの厚紙製の円筒であり、
前記モグサ体が、高さ５〜７ｍｍ、底面の直径７〜１０ｍｍの略円錐体形状であり、裾部周壁に１〜３個の貫通孔を有する、
請求項１または２に記載の間接灸。
【請求項４】
前記貫通孔の直径が０．５〜１．０ｍｍである、請求項１〜３のいずれか１項に記載の間接灸。
【請求項５】
前記筒体の底部に粘着剤が付着している、請求項１〜４のいずれか１項に記載の間接灸。
【考案の詳細な説明】
【技術分野】
【０００１】
本考案は、灸治療に用いる間接灸に関する。
【背景技術】
【０００２】
従来、モグサを充填した筒体から、モグサを押し出し、押し出した状態で筒体を施灸位置に立ててモグサを燃焼させ、間接灸として使用する方法が試みられている。この方法では、モグサを押し出す手間がかかり、また、適当な量のモグサを安定して押し出すことが難しいという問題がある。すなわち、モグサを押し出しすぎるとモグサがぐらついて不安定となり安全性に欠ける。また、モグサと皮膚の距離や、筒内の空気量が一定しなければ、患部に伝わる温度が安定しないため、治療に差し障りがでる。
【０００３】
このような問題を解決するものとして、筒体に目の粗い布によって包んだモグサを、のり等によって接着固定した灸具も考案されている（特許文献１）。この灸具によれば、筒内の空気の量及び皮膚とモグサの距離は安定しており、設定した温度を毎回安定して皮膚に与えることができる。また、モグサを押し出す手間もかからない。
【特許文献１】実開平０７−３３３３６号公報
【０００４】
しかし、特許文献１の灸具を用いた場合、皮膚とモグサの距離は一定するものの、筒内の放熱の程度を調節することが難しいという問題がある。すなわち、モグサの通気性が良い場合、または筒とモグサの間に隙間がある場合は、熱が放散するため皮膚に与える温度が低くなり、他方、密閉性が高すぎると、筒内の温度が高くなりすぎる。
【考案の開示】
【考案が解決しようとする課題】
【０００５】
したがって本考案は、適温を安定して皮膚に与えることができる間接灸を提供することを課題とする。
【課題を解決するための手段】
【０００６】
本考案者は、上記課題を解決するために試作を繰り返した結果、
筒体と、モグサ体とからなる間接灸であって、
前記モグサ体は、モグサと糊剤とを混連してなる略錐体形状の成形体であって、当該錐体の底面により前記筒体の上部開口を閉塞する状態にて前記筒体上部に固着されており、当該錐体の裾部周壁には、前記筒体の中空部と連通する貫通孔が少なくとも一つ設けられていることを特徴とする間接灸を考案することによって、前記課題を解決した。
【０００７】
本考案にかかる間接灸は、筒体と、筒体の上部に底面が固着された略錐体形状のモグサ体からなる。前記モグサ体は、モグサと糊剤とを混連して成形したものであるため、モグサのみからなるものと異なり、通気性が非常に低い。したがって、モグサ体の底面で前記筒体の上部開口を閉塞するよう筒体上部に固着すれば、筒内の熱は、モグサ体を通じて、あるいはモグサ体と筒の隙間から外部に漏れにくい。そして、モグサ体の裾部周壁には、前記筒体の中空部と連通する貫通孔が少なくとも一つ設けられているため、筒内の空気はこの貫通孔のみを通して外部に出ることになる。したがって、完全な密閉状態ではないため、筒内の温度が高温になりすぎるのを防ぐことができ、また、貫通孔の数や孔のサイズにより放熱の程度を調節できる。さらに、貫通孔はモグサ体の裾部に設けられているため、モグサ体の燃焼が終わるまで機能する。モグサ体が筒の上部に固着されているため、モグサ体と皮膚との距離、および筒内の空気量は一定である。加えて前述のように放熱の程度をコントロールできるため、本考案の間接灸によれば、非常に細かい温度調節が可能となる。
【０００８】
また、モグサ体は、モグサと糊剤とを混連してなる成形体であるため、モグサを筒内に充填する従来品に比べて、モグサの量を一定に調節しやすく、温度や燃焼時間を一定化しやすい。また、モグサ体は最初から筒体の外部に突出した状態であるが、糊剤で固形化されているためつぶれにくく、また、略錐体形状であるため、据わりが良く安定しており、誤って手が当たるなどしても筒体から取れにくい。特に、モグサ体が燃焼すると、モグサが灰化するため当初よりもろくなるが、末広がり形状であるため、燃焼中や燃焼後にモグサ体が倒れてくる危険がほとんどなく、安全である。また、このような筒体を利用した間接灸は、１シートに数十個配置され、このシートを何枚か重ねた状態で箱詰めされて市販されることが多いが、モグサ体を略錐体形状とすることにより、モグサ体が筒体上部から突出した状態であるにもかかわらず、モグサ体がつぶれにくく、梱包が容易である。
また、モグサだけでなく糊剤が混和されているため、匂いや煙を大幅に少なくすることができる。また、モグサを押し出す手間がなく、扱いやすい。
【０００９】
モグサ体は、つぶれにくさや製造のし易さから、略円錐体形状が好ましく、これに対応して、筒体は、モグサ体の底面に対応する大きさの円筒であることが好ましい。
【００１０】
貫通孔は、直径が大きすぎれば筒内の温度が低くなりすぎ、直径が小さすぎれば筒内の温度が高温になりすぎるため、孔のサイズを適当な範囲に調節する必要がある。皮膚に適温を与えるためには、直径が０．５〜１．０ｍｍの貫通孔が適切である。
【００１１】
好ましい間接灸の一例として、筒体が、高さ１１〜１４ｍｍ、内径６〜９ｍｍの厚紙製の円筒であり、モグサ体が、高さ５〜７ｍｍ、底面の直径７〜１０ｍｍの略円錐体形状であって、裾部周壁に１〜３個の貫通孔を有する間接灸を挙げることができる。
【００１２】
また、筒体の底部に粘着剤が付着されていれば、そのまま皮膚に貼着できるため、より使いやすく好ましい。
【考案の効果】
【００１３】
本考案の間接灸によれば、モグサ体が成形体であるため、モグサの量、モグサ体のサイズを一定にしやすい。また、モグサ体と皮膚の距離や筒内の空気量だけでなく、熱の放散の程度を調節することができるため、皮膚に与える温度をより細かく調節することが可能となる。そのため、間接灸ごとの温度のバラツキをなくし、治療効果を高めることができる。さらに、モグサ体が略錐体形状であるため、モグサ体が常に筒体の外部に出た状態のままであるにもかかわらず、モグサ体が筒体から外れたり、つぶれたりしにくい。また、モグサが少なくて済むため、匂いや煙を少なくすることができる。
【考案を実施するための最良の形態】
【００１４】
本考案にかかる筒体の好ましい例として、厚さ約０．４〜１．０ｍｍ程度の厚紙からなる紙筒を挙げることができる。本考案における筒体とは、両端が開口した中空の柱体を意味し、円筒形だけでなく、多角柱状の中空体であってもよい。本考案の間接灸では、筒体の上部開口がモグサ体の底面で閉塞されることが必要であるため、筒体が多角柱状であるときは、モグサ体の底面もそれに対応した多角形状であることが好ましい。
【００１５】
本考案にかかるモグサ体は、モグサと糊剤とを混連して、略錐体形状に成形したものである。略錐体形状とは、完全な錐体形状のみならず、頂部が丸まったものなども含む意味で用いられる。モグサ体における糊剤の含有量は４〜１０重量％が好ましく、特に５〜７重量％が好ましい。糊剤としては、燃焼した際に煙や匂いがきつくないものが好ましく、例えば椨の木のパウダーやデンプン糊を用いることができる。
【００１６】
モグサ体は、筒内の熱が、貫通孔以外から放散しないよう、その底面により筒体の上部開口をしっかり閉塞する状態にて筒体上部に固着されていることが好ましい。特に、モグサ体の底面が、筒体の上面と同形状であって、ほぼ同じサイズ（筒体の外径±１ｍｍ範囲）であって、モグサ体が筒体内部に０．５〜１．０ｍｍ程度入り込んだ状態で固着されていることが好ましい。
【００１７】
貫通孔は、１〜３個程度が好ましく、１〜２個がより好ましい。貫通孔が複数あるときは、錐体の周方向に均等に分散配置すれば、温度を一定に調節しやすい。例えば貫通孔を２個設けるときは、錐体の周方向に約１８０°隔てて設ければよい。貫通孔は、筒体の中空部と連通するものであるため、筒体の上端からモグサ体の高さの約１／３までの位置（錐体の裾部）に設けられることが好ましい。特に、筒体の上端から１〜２ｍｍ程度の位置に設けることが好ましい。細かい温度調節を可能とし、適温を保つためには、直径が０．５〜１．０ｍｍ程度の小さな口径の貫通孔が好ましいが、このような孔をモグサ体の頂点やモグサ体の上側から筒内まで連通させた場合、通気が適当に行われず、放熱効果が得られにくい。また、モグサ体は上側から燃えていくため、孔を上側から貫通させると、モグサ体の燃焼で孔が塞がりやすく、途中で機能しなくなる可能性がある。本考案の間接灸では、貫通孔をモグサ体の裾部に設けることにより、貫通孔の機能を燃焼終了時まで保つことができる。
【００１８】
以下、実施例により、本考案の間接灸をより詳細に説明する。
【実施例１】
【００１９】
本考案の間接灸の一実施例の製造工程を以下に示す。
製造工程
１．乾燥した粉末状の糊２ｇを１６ｍｌの水に溶解させる。
２．モグサ３０ｇと上記の糊を５分間混ぜて練りモグサを作る。
３．高さ６．２ｍｍ、直径８．８ｍｍの逆円錐形の型に練りモグサを入れて成形する。
４．型から練りモグサを離型し、得られた略円錐状の成形体を、プレートに並べて乾燥室内で５０℃にて１５分間乾燥する。乾燥後のモグサ体の重量は一つ当たり約０．３５ｇとなる。
５．モグサ体の底面に糊を付けて、長さ１２．７ｍｍ、内径７．８ｍｍ、外径９．０ｍｍの厚紙製の円筒体の上に載せる。モグサ体の底面が筒口から筒内に０．５〜１．０ｍｍ程度のめり込むように押さえ付ける。
６．筒体の上端から約１ｍｍの高さのモグサ体周壁に、針で直径０．５〜０．８ｍｍの穴を開ける（周方向に１８０°隔てて２箇所開ける）。
【００２０】
図１は、上記方法にて製造した間接灸を示すものであって、Ａは正面図、ＢはＸ−Ｘ線での縦断面図である。図１に示すように、本実施例の間接灸１は、円筒形状の筒体２と略円錐体形状のモグサ体３とからなり、筒体２の上に略円錐形のモグサ体３が置かれ、モグサ体３の底面で筒体２の上部開口が閉塞される状態にて、モグサ体３が筒体２に固着されている。モグサ体３の裾部の周壁には、筒体２の中空部と連通する貫通孔４が２個、円錐の周方向に１８０°隔てて設けられている。
【実施例２】
【００２１】
実施例２は、筒体２の底面に粘着剤７を付着した実施例に関する。
図２は、本考案にかかる間接灸の代表的な販売状態を示す図である。図２Ａは、図１の間接灸１を、多数台紙に配置した図である。図２Ｂに示すように、前記台紙５は、下から順に、離型シート６、粘着剤７からなる粘着層、厚地シート８を積層してなる。厚地シート８は約１．５ｍｍの厚紙からなり、直径約９ｍｍの円形の孔が複数設けられており、この孔に、間接灸１が立てられている。筒体２の底面は、粘着剤７を介して離型シート６に貼着されている。したがって、間接灸１を台紙５から取れば、筒体２の底面にはすでに粘着剤７が付着しているため、台紙から外した後は、すぐ皮膚に貼着することができる。
【００２２】
使用に際しては、間接灸１をつまんで台紙５から外し、そのまま施灸位置の皮膚に押しつけて間接灸１を皮膚に貼着し、モグサ体３の頂部に火を付ければよい。あるいは、間接灸１を台紙５から外して机等に載せて火を付けてから、施灸位置の皮膚に貼着してもよい。
【００２３】
モグサ体に火を付けてから約７０〜８０秒後に燃焼温度がピークとなり、設定した温度の熱がツボに与えられる（本実施例の間接灸の場合は約５３℃〜５４℃）。本考案の間接灸は、燃焼時間（約３分）や温度のバラツキが非常に少なく、また、煙や匂いも少なく、使用感に優れるものであった。
【図面の簡単な説明】
【００２４】
【図１】本考案にかかる間接灸の一実施例を示すものであって、Ａは正面図、ＢはＸ−Ｘ線での縦断面図である。
【図２】Ａは、図１の間接灸を多数、粘着層を有する台紙に配置した図であり、Ｂは、台紙に配置された状態の間接灸の縦断面図である。
【符号の説明】
【００２５】
１．間接灸
２．筒体
３．モグサ体
４．貫通孔
５．台紙
６．離型シート
７．粘着剤
８．厚地シート
【図１】
0003138553.tif 000003
【図２】
0003138553.tif 000004